【手続補正書】
【提出日】平成16年8月27日(2004.8.27)
【手続補正１】
【補正対象書類名】明細書
【補正対象項目名】特許請求の範囲
【補正方法】変更
【補正の内容】
【特許請求の範囲】
【請求項１】
二つ折り処理された用紙束の小口を断裁手段により断裁して冊子を仕上げる用紙断裁装置において、
断裁処理済みの複数の冊子を収容する冊子収納手段の冊子積載台は、前記冊子の折り目部を上にして、用紙面を重ね合わせて積載可能であることを特徴とする用紙断裁装置。
【請求項２】
前記断裁手段の用紙搬送方向下流側に配置され、断裁処理された冊子を断裁部搬送手段から垂直上方に偏向させ、前記冊子収納手段に搬送する回転可能な大径ローラと、
前記大径ローラに前記冊子を圧接挟持して搬送する従動回転可能なピンチローラと、
前記冊子を前記断裁部搬送手段から垂直上方に偏向させて前記大径ローラと前記ピンチローラとの挟持位置に案内するガイド板とを有し、
前記ガイド板が前記冊子の折り目部を搬送方向の先端側にして前記冊子を前記挟持位置に案内することを特徴とする請求項１に記載の用紙断裁装置。
【請求項３】
二つ折り処理された用紙束の小口を断裁手段により断裁して冊子を仕上げる用紙断裁装置において、
前記断裁手段の用紙搬送方向下流側に配置され、断裁処理された冊子を断裁部搬送手段から垂直上方に偏向させ、冊子収納手段に搬送する回転可能な大径ローラと、
前記大径ローラに前記冊子を圧接挟持して搬送する従動回転可能なピンチローラと、
前記冊子を前記断裁部搬送手段から垂直上方に偏向させて前記大径ローラと前記ピンチローラとの挟持位置に案内するガイド板と、を有することを特徴とする用紙断裁装置。
【請求項４】
前記冊子を載置する前記冊子収納手段の載置面は、前記断裁部搬送手段から前記大径ローラのほぼ半径長さだけ上方に配置されていることを特徴とする請求項２または３に記載の用紙断裁装置。
【請求項５】
断裁処理済みの冊子を前記冊子収納手段に通過させる冊子排出口と、
前記冊子排出口から受容して前記冊子積載台に直立して支持された冊子の用紙面を押圧し、前記冊子積載台上と前記冊子排出口との間を往復動する可動壁部材と、
前記可動壁部材を往復駆動させる駆動手段とを有し、
前記可動壁部材は、通常は前記冊子積載台上の停止位置で積載された冊子を受け止め、前記断裁処理済みの冊子が前記冊子積載台に搬入される都度、前記冊子排出口の背後位置まで待避し、前記冊子が前記冊子排出口を通過完了後に、前記冊子の用紙面を押圧しながら前記の停止位置に復帰して待機することを特徴とする請求項１乃至４の何れか１項に記載の用紙断裁装置。
【請求項６】
二つ折り処理された用紙束の小口を断裁手段により断裁して冊子を仕上げる用紙断裁装置において、
断裁処理済みの冊子を冊子収納手段に通過させる冊子排出口と、
前記冊子を前記冊子排出口から受容し、前記冊子の折り目部を上にして用紙面を重ね合わせて積載する冊子収納手段の冊子積載台と、
前記冊子積載台に直立して支持された冊子の用紙面を押圧し、前記冊子積載台上と前記冊子排出口との間を往復動する可動壁部材と、
前記可動壁部材を往復駆動させる駆動手段と、を有し、
前記可動壁部材は、通常は前記冊子積載台上の停止位置で積載された冊子を受け止め、前記断裁処理済みの冊子が前記冊子積載台に搬入される都度、前記冊子排出口の背後位置まで待避し、前記冊子が前記冊子排出口を通過完了後に、前記冊子の用紙面を押圧しながら前記の停止位置に復帰して待機することを特徴とする用紙断裁装置。
【請求項７】
前記可動壁部材の冊子押圧面部の幅は、前記冊子積載台上の冊子の最小サイズの冊子幅より狭い幅に形成されていることを特徴とする請求項６に記載の用紙断裁装置。
【請求項８】
二つ折り処理された用紙束の小口を断裁手段により断裁して冊子を仕上げる用紙断裁装置において、
断裁処理済みの冊子を冊子収納手段に通過させる冊子排出口と、
前記冊子を前記冊子排出口から受容し、前記冊子の折り目部を上にして用紙面を重ね合わせて積載する冊子収納手段の冊子積載台と、
前記冊子積載台に直立して支持された冊子の用紙面を押圧し、前記冊子積載台上と前記冊子排出口との間を往復動する可動壁部材と、
前記可動壁部材の用紙面に対向して配置され、前記冊子積載台に直交する方向に移動可能な仕切部材と、
前記可動壁部材と前記仕切部材を往復駆動させる駆動手段と、を有し、
前記可動壁部材は、通常は前記冊子積載台上の停止位置で積載された冊子を受け止め、前記断裁処理済みの冊子が前記冊子積載台に搬入される都度、前記冊子排出口の背後位置まで待避し、前記可動壁部材が冊子受入のため待避して前記冊子排出口の開放以前に、前記仕切部材が移動して、前記可動壁部材の代わりに前記冊子の端部を受け止める位置に移動し、前記可動壁部材が前記冊子の用紙面を押圧しながら前記の停止位置に移動するとき、前記仕切部材が移動を開始して待避し、前記冊子積載台上に冊子を受け入れ可能にすることを特徴とする用紙断裁装置。
【請求項９】
用紙給送手段により給送された用紙に、画像情報に応じて画像を形成する画像形成手段と、
画像形成された前記用紙を、中綴じ処理する綴じ手段、中綴じ処理された用紙束を二つ折り処理する折り手段を備えた用紙後処理装置と、
請求項１乃至８の何れか１項に記載の用紙断裁装置を有し、
二つ折り処理及び中綴じ処理した用紙束の小口を断裁手段により断裁して冊子に仕上げることを特徴とする画像形成装置。
【手続補正２】
【補正対象書類名】明細書
【補正対象項目名】００１１
【補正方法】変更
【補正の内容】
【００１１】
（２）  二つ折り処理された用紙束の小口を断裁手段により断裁して冊子を仕上げる用紙断裁装置において、前記断裁手段の用紙搬送方向下流側に配置され、断裁処理された冊子を断裁部搬送手段から垂直上方に偏向させ、前記冊子収納手段に搬送する回転可能な大径ローラと、前記大径ローラに前記冊子を圧接挟持して搬送する従動回転可能なピンチローラと、前記冊子を前記断裁部搬送手段から垂直上方に偏向させて前記大径ローラと前記ピンチローラとの挟持位置に案内するガイド板と、を有することを特徴とする用紙断裁装置（請求項３）。
【手続補正３】
【補正対象書類名】明細書
【補正対象項目名】００１２
【補正方法】変更
【補正の内容】
【００１２】
（３）  二つ折り処理された用紙束の小口を断裁手段により断裁して冊子を仕上げる用紙断裁装置において、断裁処理済みの冊子を冊子収納手段に通過させる冊子排出口と、前記冊子を前記冊子排出口から受容し、前記冊子の折り目部を上にして用紙面を重ね合わせて積載する冊子収納手段の冊子積載台と、前記冊子積載台に直立して支持された冊子の用紙面を押圧し、前記冊子積載台上と前記冊子排出口との間を往復動する可動壁部材と、前記可動壁部材を往復駆動させる駆動手段と、を有し、前記可動壁部材は、通常は前記冊子積載台上の停止位置で積載された冊子を受け止め、前記断裁処理済みの冊子が前記冊子積載台に搬入される都度、前記冊子排出口の背後位置まで待避し、前記冊子が前記冊子排出口を通過完了後に、前記冊子の用紙面を押圧しながら前記の停止位置に復帰して待機することを特徴とする用紙断裁装置（請求項６）。
【手続補正４】
【補正対象書類名】明細書
【補正対象項目名】００１３
【補正方法】変更
【補正の内容】
【００１３】
（４）  二つ折り処理された用紙束の小口を断裁手段により断裁して冊子を仕上げる用紙断裁装置において、断裁処理済みの冊子を冊子収納手段に通過させる冊子排出口と、前記冊子を前記冊子排出口から受容し、前記冊子の折り目部を上にして用紙面を重ね合わせて積載する冊子収納手段の冊子積載台と、前記冊子積載台に直立して支持された冊子の用紙面を押圧し、前記冊子積載台上と前記冊子排出口との間を往復動する可動壁部材と、前記可動壁部材の用紙面に対向して配置され、前記冊子積載台に直交する方向に移動可能な仕切部材と、前記可動壁部材と前記仕切部材を往復駆動させる駆動手段と、を有し、前記可動壁部材は、通常は前記冊子積載台上の停止位置で積載された冊子を受け止め、前記断裁処理済みの冊子が前記冊子積載台に搬入される都度、前記冊子排出口の背後位置まで待避し、前記可動壁部材が冊子受入のため待避して前記冊子排出口の開放以前に、前記仕切部材が移動して、前記可動壁部材の代わりに前記冊子の端部を受け止める位置に移動し、前記可動壁部材が前記冊子の用紙面を押圧しながら前記の停止位置に移動するとき、前記仕切部材が移動を開始して待避し、前記冊子積載台上に冊子を受け入れ可能にすることを特徴とする用紙断裁装置（請求項８）。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
（５）  用紙給送手段により給送された用紙に、画像情報に応じて画像を形成する画像形成手段と、画像形成された前記用紙を、中綴じ処理する綴じ手段、中綴じ処理された用紙束を二つ折り処理する折り手段を備えた用紙後処理装置と、前記（１）〜（４）の何れかに記載の用紙断裁装置を有し、二つ折り処理及び中綴じ処理した用紙束の小口を断裁手段により断裁して冊子に仕上げることを特徴とする画像形成装置（請求項９）。
【手続補正８】
【補正対象書類名】明細書
【補正対象項目名】０１０６
【補正方法】変更
【補正の内容】
【０１０６】
（２）  大径ローラ、ピンチローラ、ガイド板によって、断裁処理された冊子を断裁部搬送路から垂直上方に偏向させ冊子収納手段に搬送することにより、冊子を円滑に冊子排出部に搬送し、冊子を立姿勢で収容可能となり、冊子収納手段の占有床面積の低減に有効である（請求項３）。
【手続補正９】
【補正対象書類名】明細書
【補正対象項目名】０１０７
【補正方法】変更
【補正の内容】
【０１０７】
（３）  可動壁部材は、通常は冊子排出口を塞いだ停止位置で冊子積載台上に積載された冊子を受け止め、断裁処理済みの冊子が冊子積載台に搬入される都度、冊子排出口を開放する位置まで待避し、冊子が前記冊子排出口を通過完了後に、冊子の用紙面を押圧しながら停止位置に復帰して待機する本発明の用紙断裁装置により、冊子の縦型スタック性が向上し、大量の冊子を整然と収容することができる（請求項６）。
【手続補正１０】
【補正対象書類名】明細書
【補正対象項目名】０１０８
【補正方法】変更
【補正の内容】
【０１０８】
（４）  可動壁部材と仕切部材との連携動作により、冊子を受け渡すことにより、冊子積載台上に載置された先行の冊子と、冊子積載台上に搬入される後続の冊子とを円滑に収容することが可能である（請求項８）。
【手続補正１１】
【補正対象書類名】明細書
【補正対象項目名】０１０９
【補正方法】削除
【補正の内容】
【手続補正１２】
【補正対象書類名】明細書
【補正対象項目名】０１１０
【補正方法】削除
【補正の内容】
【手続補正１３】
【補正対象書類名】明細書
【補正対象項目名】０１１１
【補正方法】変更
【補正の内容】
【０１１１】
（５）  本発明の複写機、プリンタ、これらの複合機等の画像形成装置により画像形成された用紙は、用紙後処理装置により中綴じと中折り処理され、用紙断裁装置の断裁手段により用紙の小口が均一に揃えられ、製本化された冊子となり、冊子収納手段により、安定して大量の冊子をスタックすることが可能になる（請求項９）。